(57)【要約】【課題】蓋板の変形を防止するとともに、包装用箱の外観体裁を良好とすることを課題とする。【解決手段】包装用箱１０において、開口部を有する箱本体１２と、前記箱本体１２に連設され前記開口部を覆う第１蓋板３１と、前記箱本体１２に連設され前記第１蓋板３１の上方に少なくとも一部が重なる第２蓋板３２とを備え、前記第２蓋板３２には、前記第１蓋板３１の縁部を抱持する抱持部（折畳フラップ６１）が連設される構成とする。そして、前記第１蓋板３１と前記第２蓋板３２は、前記開口部の縁部の対向する位置に設けられ、前記抱持部（折畳フラップ６１）は、前記第２蓋板３２の側方の辺に形成され、少なくとも前記第２蓋板３２が前記箱本体１２に連設されている連設側の辺に対向する開放側の辺の端部に接する位置において、前記第１蓋板３１の縁部を抱持する。【選択図】図５
0003165821.tif 000002
【実用新案登録請求の範囲】
【請求項１】
開口部を有する箱本体と、
前記箱本体に連設され前記開口部を覆う第１蓋板と、
前記箱本体に連設され前記第１蓋板の上方に少なくとも一部が重なる第２蓋板と、を備え、
前記第２蓋板には、前記第１蓋板の縁部を抱持する抱持部が連設されることを特徴とする包装用箱。
【請求項２】
前記第１蓋板と前記第２蓋板は、前記開口部の縁部の対向する位置に設けられ、前記抱持部は、前記第２蓋板の側方の辺に形成され、少なくとも前記第２蓋板が前記箱本体に連設されている連設側の辺に対向する開放側の辺の端部に接する位置において、前記第１蓋板の縁部を抱持することを特徴とする請求項１に記載の包装用箱。
【請求項３】
前記第１蓋板と前記第２蓋板は、前記開口部の縁部の対向する位置に設けられ、前記抱持部は、前記第２蓋板の側方の辺において、前記連設側の辺の端部から、前記開放側の辺の端部まで形成されることを特徴とする請求項１に記載の包装用箱。
【請求項４】
前記第１蓋板と前記第２蓋板は、前記開口部の縁部の対向する位置に設けられ、前記抱持部は、前記第２蓋板の両側方の辺に設けられることを特徴とする請求項１から３のいずれか１項に記載の包装用箱。
【請求項５】
前記抱持部は、前記箱本体を構成する第１側板と、前記第１蓋板とによって挟持されることを特徴とする請求項１から４のいずれか１項に記載の包装用箱。
【請求項６】
前記箱本体は、少なくとも底板と、前記底板の対向する辺において前記底板に対して立設される第１側板と、前記第１側板が連設される辺に隣接する辺において前記底板に対して立設される第２側板とを備え、
前記第１蓋板又は前記第２蓋板のいずれか一方が前記第２側板に連設され、
前記抱持部は、前記第１側板と、前記第１蓋板とによって挟持されることを特徴とする請求項１から４のいずれか１項に記載の包装用箱。
【請求項７】
前記箱本体は、前記第２側板が連設される辺に対向する辺において前記底板に対して立設される第３側板を備え、
前記第１蓋板又は前記第２蓋板のいずれか一方が前記第２側板に連設され、
前記第１蓋板又は前記第２蓋板のいずれか他方が前記第３側板に連設され、
前記抱持部は、前記第２蓋板の側方の辺に折目線を介して連設され、前記折目線を折畳み前記第１蓋板と前記第１側板によって挟持されることを特徴とする請求項６に記載の包装用箱。
【請求項８】
前記第１蓋板又は前記第２蓋板のいずれか一方が前記第２側板に連設され、
前記第２側板が連設される辺に対向する前記底板の辺に連設され、
前記抱持部は、前記第２蓋板の側方の辺に折目線を介して連設され、前記折目線を折畳み前記第１蓋板と前記第１側板によって挟持されることを特徴とする請求項６に記載の包装用箱。
【請求項９】
前記第２側板において、前記底板に連設される辺が、前記第１蓋板または前記第２蓋板のいずれか一方が連設される辺よりも短く形成されることで、
前記第２側板に連設される前記第１蓋板または前記第２蓋板のいずれか一方の側方の縁部が前記第１側板よりも前記箱本体の外方へ突出することを特徴とする請求項６から８のいずれか１項に記載の包装用箱。
【請求項１０】
前記第２側板と前記第３側板において、前記底板に連設される辺が、前記第１蓋板および前記第２蓋板が連設される辺よりも短く形成されることで、
前記第１蓋板と前記第２蓋板の側方の縁部が前記第１側板よりも前記箱本体の外方へ突出することを特徴とする請求項７に記載の包装用箱。
【請求項１１】
前記底板と前記第１側板との間に介設される折畳板を備え、
当該折畳板を前記底板上に折畳み、
前記第１側板を前記底板に対して立設することで、
前記第１蓋板と前記第２蓋板の側方の縁部が前記第１側板よりも前記箱本体の外方へ突出することを特徴とする請求項５から１０のいずれか１項に記載の包装用箱。
【請求項１２】
前記第１側板は、前記底板に対して前記箱本体の中央側に傾斜するように立設されることで、
前記第１蓋板と前記第２蓋板の側方の縁部が前記第１側板よりも前記箱本体の外方へ突出することを特徴とする請求項５から１１のいずれか１項に記載の包装用箱。
【請求項１３】
前記抱持部は、前記第１蓋板と前記第１側板の前記開口部側の端部の一部とによって挟持される接触部を有することを特徴とする請求項５から１２のいずれか１項に記載の包装用箱。
【請求項１４】
前記抱持部は、前記第１蓋板と前記第１側板の前記開口部側の端部とによって挟持される接触部と挟持されない非接触部とが前記第２蓋板の前記連設側の辺の端部から、前記開放側の辺の端部の間で交互に形成されることを特徴とする請求項５から１３のいずれか一項に記載の包装用箱。
【請求項１５】
前記抱持部は、前記接触部が前記第２蓋板の前記開放側に形成されることを特徴とする請求項１３または１４に記載の包装用箱。
【請求項１６】
前記第２蓋板の前記開放側に連設される差込片と、前記差込片に対応し前記第１蓋板上または前記第１蓋板の周辺に形成される差込口とを有し、
前記差込片が前記差込口と係合可能とする係止部を備えることを特徴とする請求項１から１５のいずれか１項に記載の包装用箱。
【考案の詳細な説明】
【技術分野】
【０００１】
包装用箱の構造に関し、より詳細には、包装用箱の蓋板の係止状態を保持する構造に関する。
【背景技術】
【０００２】
従来、菓子等の物品を収納する包装用箱にあっては、一枚のブランクからなる種々の形態の包装用箱が知られている。
【０００３】
例えば、特許文献１に示す包装用箱は、上部を開放可能な箱本体と蓋板とで構成され、蓋板の一部を切り欠くことで挿入片が形成され、この挿入片に対応するフラップ部分が箱本体に形成される。蓋板は、挿入片をフラップ部分に挿入することで箱本体側に係止される。したがって、蓋板が箱本体に対して浮き上がる変形を解消でき、箱本体に対する蓋板の強固な閉鎖が可能に構成されている。
【０００４】
しかしながら、上記特許文献１に記載の包装用箱では、挿入片とフラップ部分の切り込みが露出しており、外観上の問題がある。
【先行技術文献】
【特許文献】
【０００５】
【特許文献１】実開昭６１−４８１２１号公報
【考案の概要】
【考案が解決しようとする課題】
【０００６】
本考案は前記課題に鑑みてなされたものであって、蓋板の変形を防止するとともに、包装用箱の外観体裁を良好とすることを課題とする。
【課題を解決するための手段】
【０００７】
本考案の解決しようとする課題は以上の如くであり、次にこの課題を解決するための手段を説明する。
【０００８】
即ち、第１の考案では、
開口部を有する箱本体と、
前記箱本体に連設され前記開口部を覆う第１蓋板と、
前記箱本体に連設され前記第１蓋板の上方に少なくとも一部が重なる第２蓋板と、を備え、
前記第２蓋板には、前記第１蓋板の縁部を抱持する抱持部が連設される構成である。
【０００９】
第２の考案では、第１の考案において、
前記第１蓋板と前記第２蓋板は、前記開口部の縁部の対向する位置に設けられ、前記抱持部は、前記第２蓋板の側方の辺に形成され、少なくとも前記第２蓋板が前記箱本体に連設されている連設側の辺に対向する開放側の辺の端部に接する位置において、前記第１蓋板の縁部を抱持する構成である。
【００１０】
第３の考案では、第１の考案において、
前記第１蓋板と前記第２蓋板は、前記開口部の縁部の対向する位置に設けられ、前記抱持部は、前記第２蓋板の側方の辺において、前記連設側の辺の端部から、前記開放側の辺の端部まで形成される構成である。
【００１１】
第４の考案では、第１から第３の考案において、
前記第１蓋板と前記第２蓋板は、前記開口部の縁部の対向する位置に設けられ、前記抱持部は、前記第２蓋板の両側方の辺に設けられる構成である。
【００１２】
第５の考案では、第１から第４の考案において、
前記抱持部は、前記箱本体を構成する第１側板と、前記第１蓋板とによって挟持される構成である。
【００１３】
第６の考案では、第１から第４の考案において、
前記箱本体は、少なくとも底板と、前記底板の対向する辺において前記底板に対して立設される第１側板と、前記第１側板が連設される辺に隣接する辺において前記底板に対して立設される第２側板とを備え、
前記第１蓋板又は前記第２蓋板のいずれか一方が前記第２側板に連設され、
前記抱持部は、前記第１側板と、前記第１蓋板とによって挟持される構成である。
【００１４】
第７の考案では、第６の考案において、
前記箱本体は、前記第２側板が連設される辺に対向する辺において前記底板に対して立設される第３側板を備え、
前記第１蓋板又は前記第２蓋板のいずれか一方が前記第２側板に連設され、
前記第１蓋板又は前記第２蓋板のいずれか他方が前記第３側板に連設され、
前記抱持部は、前記第２蓋板の側方の辺に折目線を介して連設され、前記折目線を折畳み前記第１蓋板と前記第１側板によって挟持される構成である。
【００１５】
第８の考案では、第６の考案において、
前記第１蓋板又は前記第２蓋板のいずれか一方が前記第２側板に連設され、
前記第２側板が連設される辺に対向する前記底板の辺に連設され、
前記抱持部は、前記第２蓋板の側方の辺に折目線を介して連設され、前記折目線を折畳み前記第１蓋板と前記第１側板によって挟持される構成である。
【００１６】
第９の考案では、第６から第８の考案において、
前記第２側板において、前記底板に連設される辺が、前記第１蓋板または前記第２蓋板のいずれか一方が連設される辺よりも短く形成されることで、
前記第２側板に連設される前記第１蓋板または前記第２蓋板のいずれか一方の側方の縁部が前記第１側板よりも前記箱本体の外方へ突出する構成である。
【００１７】
第１０の考案では、第７の考案において、
前記第２側板と前記第３側板において、前記底板に連設される辺が、前記第１蓋板および前記第２蓋板が連設される辺よりも短く形成されることで、
前記第１蓋板と前記第２蓋板の側方の縁部が前記第１側板よりも前記箱本体の外方へ突出する構成である。
【００１８】
第１１の考案では、第５から第１０の考案において、
前記底板と前記第１側板との間に介設される折畳板を備え、
当該折畳板を前記底板上に折畳み、
前記第１側板を前記底板に対して立設することで、
前記第１蓋板と前記第２蓋板の側方の縁部が前記第１側板よりも前記箱本体の外方へ突出する構成である。
【００１９】
第１２の考案では、第５から第１１の考案において、
前記第１側板は、前記底板に対して前記箱本体の中央側に傾斜するように立設されることで、
前記第１蓋板と前記第２蓋板の側方の縁部が前記第１側板よりも前記箱本体の外方へ突出する構成である。
【００２０】
第１３の考案では、第５から第１２の考案において、
前記抱持部は、前記第１蓋板と前記第１側板の前記開口部側の端部の一部とによって挟持される接触部を有する構成である。
【００２１】
第１４の考案では、第５から第１３の考案において、
前記抱持部は、前記第１蓋板と前記第１側板の前記開口部側の端部とによって挟持される接触部と挟持されない非接触部とが前記第２蓋板の前記連設側の辺の端部から、前記開放側の辺の端部の間で交互に形成される構成である。
【００２２】
１５の考案では、第１３および第１４の考案において、
前記抱持部は、前記接触部が前記第２蓋板の前記開放側に形成される構成である。
【００２３】
第１６の考案では、第１から第１５の考案において、
前記第２蓋板の前記開放側に連設される差込片と、前記差込片に対応し前記第１蓋板上または前記第１蓋板の周辺に形成される差込口とを有し、
前記差込片が前記差込口と係合可能とする係止部を備える構成である。
【考案の効果】
【００２４】
本考案の効果として、以下に示すような効果を奏する。
【００２５】
第１の考案においては、抱持部が第１蓋板の縁部を抱持するため、第１蓋板に対する第２蓋板の浮き上がりを防止することができ、包装用箱の外観体裁を良好とすることができる。
【００２６】
第２の考案においては、第１の考案の効果に加え、少なくとも前記第２蓋板が前記箱本体に連設されている連設側の辺に対向する開放側の辺の端部に接する位置において、前記第１蓋板の縁部を抱持するため、第２蓋板の開放側の辺の端部の周辺における浮き上がりを防止することができる。
【００２７】
第３の考案においては、第１の考案の効果に加え、前記抱持部が、前記第２蓋板の側方の辺における前記連設側の辺の端部から前記開放側の辺の端部までの範囲で第２蓋板の浮き上がりを防止することができる。
【００２８】
第４の考案においては、第１から第３の考案の効果に加え、第１蓋板に対する第２蓋板の両側の縁部における浮き上がりを防止することができる。
【００２９】
第５の考案においては、第１から第４の考案の効果に加え、抱持部が、第１側板と第１蓋板とによって挟持されるため、抱持部の周辺における第１蓋板に対する第２蓋板の浮き上がりを確実に防止することができる。
【００３０】
第６から第８の考案においては、第１から第４の考案の効果に加え、抱持部が第１側板と第１蓋板とによって挟持されるため、抱持部の露出を少なくすることができ包装用箱の外観体裁を良好とすることができる。
【００３１】
第９の考案においては、第６から第８の考案の効果に加え、前記第２側板において、底板が連設される辺が、第１蓋板または第２蓋板のいずれか一方が連設される辺よりも短く形成されることで、前記第２側板に連設される前記第１蓋板または前記第２蓋板のいずれか一方の側方の縁部が前記第１側板よりも前記箱本体の外方へ突出することができ、抱持部が第１蓋板と第１側板によって挟持され易くなり、抱持部の周辺における第１蓋板に対する第２蓋板の浮き上がりを確実に防止することができる。
【００３２】
第１０の考案においては、第７の考案の効果に加え、第２側板と第３側板において、底板が連設される辺が第１蓋板および第２蓋板が連設される辺よりも短く形成されることで、第１蓋板と第２蓋板の側方の縁部が第１側板よりも箱本体の外方へ突出することができ、抱持部が第１蓋板と第１側板によって挟持され易くなり、抱持部の周辺における第１蓋板に対する第２蓋板の浮き上がりを確実に防止することができる。
【００３３】
第１１の考案においては、第５から１０の考案の効果に加え、折畳板が底板と第１側板との間に介設されることで、第１蓋板と第２蓋板の側方の縁部が第１側板よりも箱本体の外方へ突出することができ、抱持部が第１蓋板の側方の縁部と第１側板に挟持され易くなり、抱持部の周辺における第１蓋板に対する第２蓋板の浮き上がりを確実に防止することができる。
【００３４】
第１２の考案においては、第５から１１の考案の効果に加え、第１側板は、底板に対して箱本体の中央側に傾斜するように立設されることで、第１蓋板と第２蓋板の側方の縁部が第１側板よりも箱本体の外方へ突出することができ、抱持部が第１蓋板の側方の縁部と第１側板に挟持され易くなり、抱持部の周辺における第１蓋板に対する第２蓋板の浮き上がりを確実に防止することができる。
【００３５】
第１３の考案においては、第５から第１２の考案の効果に加え、抱持部が第１蓋板と第１側板に挟持されていない箱本体の外方の部分を手掛かりとすることで、抱持部の挟持状態を容易に解除することができる。
【００３６】
第１４の考案においては、第５から第１３の考案の効果に加え、第１蓋板と第１側板の前記開口部側の端部とによって挟持される接触部と挟持されない非接触部とが前記第２蓋板の前記連設側の辺の端部から、前記開放側の辺の端部の間で交互に形成されることで、抱持部による前記第２蓋板の前記連設側の辺の端部から前記開放側の辺の端部の間の第２蓋板の浮き上がりを確実に防止することができる。また、非接触部を手掛かりとすることで、抱持部の挟持状態を容易に解除することができる。
【００３７】
第１５の考案においては、第１３および第１４の考案の効果に加え、接触部が第２蓋板の開放側に形成されることで、第２蓋板の浮き上がりがおこり易い側に接触部が形成されることとなり、第２蓋板の変形を確実に防止することができる。
【００３８】
第１６の考案においては、第１から第１５の考案の効果に加え、抱持部によって第２蓋板の浮き上がりを防止しずらい箇所も、係止部によって第２蓋板の浮き上がりを防止することができる。
【図面の簡単な説明】
【００３９】
【図１】第１実施形態に係る包装用箱の箱展開形成体の平面図。
【図２】同じく包装用箱が折り畳たまれた状態を示す平面図。
【図３】同じく底板に対して左右側板が起立した状態を示す斜視簡略図。
【図４】同じく底板に対して左右側板、前フラップ、及び後フラップが起立し保持され、保冷体が保冷体収納部に収納される状態を示す斜視簡略図。
【図５】同じく包装用箱の箱本体が組み立てられた状態の斜視簡略図。
【図６】同じく箱本体に対して蓋部を閉じ、係止部によって第２蓋板が第１蓋板に重なる状態を保持している状態を示す図。（Ａ）は斜視簡略図。（Ｂ）は図６の（Ａ）中に示すＣ方向矢視における前側面図。
【図７】（Ａ）図６の（Ｂ）中に示すＤ方向矢視における斜視簡略図。（Ｂ）図７の（Ａ）の状態から抱持部が第１蓋板と左右側板とに挟持された状態を示す斜視簡略図。
【図８】同じく箱本体に対して蓋部を閉じ、第２蓋板が第１蓋板に重なる状態を抱持部および係止部によって保持している状態を示す図。
【図９】第２実施形態に係る包装用箱の箱展開形成体の平面図。
【図１０】同じく底板に対して左右側板が起立した状態を示す斜視簡略図。
【図１１】同じく箱本体に対して蓋部を閉じ、係止部によって第２蓋板が第１蓋板に重なる状態を保持している状態を示す図。（Ａ）は斜視簡略図。（Ｂ）は図１１の（Ａ）中に示すＥ方向矢視における前側面図。
【図１２】同じく図１１の状態から抱持部が第１蓋板と左右側板とに挟持された状態を示す図。（Ａ）は斜視簡略図。（Ｂ）は前側面図。
【図１３】第３実施形態に係る包装用箱の箱展開形成体の平面図。
【図１４】（Ａ）第２実施形態に係る第１後フラップおよび左右側板を示す平面図。（Ｂ）第３実施形態に係る第１後フラップおよび左右側板を示す平面図。
【図１５】第３実施形態に係る底板に対して左右側板、前フラップ、及び後フラップが起立した状態が保持される状態を示す斜視簡略図。
【図１６】同じく箱本体に対して蓋部を閉じ、係止部によって第２蓋板が第１蓋板に重なる状態を保持している状態を示す図。（Ａ）は斜視簡略図。（Ｂ）は図１６の（Ａ）中に示すＦ方向矢視における前側面図。
【図１７】同じく図１６の状態から抱持部が第１蓋板と左右側板とに挟持された状態を示す図。（Ａ）は斜視簡略図。（Ｂ）は前側面図。
【考案を実施するための形態】
【００４０】
次に、本考案の第１実施形態に係る包装用箱１０について、図１から図８を用いて説明する。
【００４１】
包装用箱１０は、図１に示す箱展開形成体１１を組み立てて形成される。包装用箱１０は、板紙、段ボールなどの厚紙で形成されて、菓子等の物品を収納する。包装用箱１０は、厚紙の他、樹脂素材を用いた板状部材等で形成されてもよい。包装用箱１０は図２に示すように、折畳まれた半完成状態で菓子店等に納品され、物品を収納する前に組み立ての一部が行われて、物品収納後にさらに組み立てが行われて完成状態の包装用箱１０とされる（図８参照）。
【００４２】
以下では、説明を容易に行うため、箱本体１２に第１蓋板３１が連設される側を前側、前側に対向する側を後側とし、他方の対向する側を左右側とする。すなわち、図３では図示右下側が前方となり、左上側が後方となる。また、上下方向は、包装用箱１０を組み立てて、底板２１を下にして載置した状態で、底板２１側を下方とする。また、箱展開形成体１１の左右対称にあらわれる箇所は、左側を主として説明をする。尚、本実施形態の包装用箱１０の平面形状は長方形であるが、正方形等の他の形状に変更してもよい。
【００４３】
図１に示す箱展開形成体１１に従って、包装用箱１０の箱本体１２を構成する部分を説明する。図１は、包装用箱１０の内側となる面を紙面手前側として示している。
【００４４】
底板２１は、包装用箱１０の底板を構成する部分である。底板２１の前縁部（図示下縁部）には、箱本体１２の外側の前側面を構成する第２側板である前側板２２が、前側板折目線４１を介して連設される。底板２１の後縁部（図中上縁部）には、箱本体１２の後側を構成する第３側板である後側板２３が、後側板折目線４２を介して連設される。底板２１の左右縁部には、折畳板折目線４３を介して一対の折畳板２４が連設される。さらに、折畳板２４の左右外縁部には、箱本体１２の左右側面を構成する第１側板である一対の左右側板２５が、左右側板折目線４４を介して連設される。左右側板２５の下辺となる辺は、上辺となる辺よりも長く形成される。左右側板２５は、全体として略台形状に形成される。
【００４５】
左右側板２５の前部となる縁部（図示下縁部）には、左右側板２５の前側を連結するための第１前フラップ２６と第２前フラップ２７が前フラップ折目線４５を介してそれぞれ連設される。第１前フラップ２６と第２前フラップ２７の自由端部付近には、前連結用切目２６ａ・２７ａが開放端を図示左向きとして形成されている。第１前フラップ２６と第２前フラップ２７は、それらが係合されることで前側面の内側となる部分である。
【００４６】
左右側板２５の後部となる縁部（図示上縁部）には、左右側板２５の後側を連結するための第１後フラップ２８と第２後フラップ２９が後フラップ折目線４６を介してそれぞれ連設される。第１後フラップ２８と第２後フラップ２９の自由端部付近には、後連結用切目２８ａ・２９ａが開放端を図示右向きとして形成されている。第１後フラップ２８と第２後フラップ２９は、それらが係合されることで後側面の内側となる部分である。
【００４７】
次に、包装用箱１０の蓋部１３を構成する部分を説明する。
【００４８】
蓋部１３は、箱本体１２の上部に形成される開口部を覆うためのものである。前記前側板２２の図示下辺には、蓋部１３の一部を構成する第１蓋板３１が、第１蓋板折目線５１を介して連設される。第１蓋板３１の後部となる縁部（図示下縁部）の左右中央には、略半円状の切り欠部である後述する保冷体収納部７０の一部を構成する保冷体挿入口７２が形成される。第１蓋板折目線５１の左右中央には、係止部６２の一部を構成する差込口６２ａが後述する差込片６２ｂに対応するように形成される。さらに差込口６２ａ左右中央部から図示上方に突出するように半円状の切欠部６２ｃが形成されている。当該切欠部６２ｃは、差込片６２ｂと差込口６２ａの差込および係合状態を解除し易くするためのものである。
【００４９】
前記後側板２３の図示上辺には、蓋部１３の一部を構成する第２蓋板３２が、第２蓋板折目線５２を介して連設される。第２蓋板３２の図示上辺には、差込片折目線５３を介して、係止部６２の一部を構成する差込片６２ｂが連設される。
【００５０】
第２蓋板３２の対向する左右縁部には、抱持部を構成する折畳フラップ６１が、折畳フラップ折目線５４を介して連設される。折畳フラップ６１には、図示上部が左右外方に突出するように接触部６１ａが形成され、図示下部が接触部よりも左右幅の短い非接触部６１ｂが形成される。接触部６１ａでは、折畳フラップ折目線５４から接触部６１ａの開放端までの（左右方向の）長さが、折畳フラップ折目線５４から左右側板２５の上辺までの（左右方向の）長さよりも若干長く形成される。つまり、接触部６１ａは折畳板２４の左右方向の長さよりも長く形成され、非接触部６１ｂは折畳板２４の左右方向の長さよりも短く形成される。
【００５１】
次に、包装用箱１０の保冷体収納部７０を構成する部分を説明する。
保冷体収納部７０を形成する保冷体収納部材としてのシート状部材７１は、不織布やレーヨン紙などの素材で形成される方形の部材である。シート状部材７１は、第１蓋板３１の大部分と前側板２２の上側の略半分の内面を覆う形状を有している。シート状部材７１の周縁部のうち、第１蓋板３１の後側の一辺は、その左右中央部が開放部とされる。つまり、シート状部材７１は、開放部である保冷体挿入口７２を残してその周縁部をシート状部材取付部７３に接着剤等の固着手段を付すことで、貼着固定される。さらに、シート状部材７１は、前側板２２の上辺側の縁周部から差込口６２ａ近傍にかけてシート状部材取付部７３に接着剤等の固着手段を付すことで、貼着固定される。
【００５２】
したがって、第１蓋板３１とシート状部材７１との間の空間（隙間）によって保冷体８１を挟持することで収納可能とする保冷体収納部７０が形成される。尚、本実施形態では、保冷体収納部材は１枚のシート状部材７１としたが、不織布やレーヨン紙を筒状、袋状にし、内部に保冷体収納部７０を形成したものを第１蓋板３１に貼着固定してもよい。
【００５３】
次に、包装用箱１０は、箱展開形成体１１の状態から図２に示す半完成状態となるように組み立てる。具体的には、図１に示す箱展開形成体１１の状態から、折畳板折目線４３を谷折することで、図２に示すように、折畳板２４は底板２１に重なるように折畳まれる。折畳板２４と底板２１の接触する部分には、折畳板固定部２４ａが形成される。当該折畳板固定部２４ａに接着剤等の固着手段を付すことで、折畳板２４と底板２１は貼着固定される。従って、包装用箱１０は略半分に折畳まれた略Ｉ字状の半完成状態となる。半完成状態では、包装用箱１０は厚さが薄く、コンパクトであるため、保管や運搬が容易となる。
【００５４】
次に、折畳まれた半完成状態の包装用箱１０を完成体まで組み立てる手順について説明する。
【００５５】
先ず、左右側板折目線４４を山折して図３に示すように、左右側板２５を底板２１と折畳板２４に対して略直角に立設させる。この状態において、包装用箱１０の前後部と上部は、開放された状態にある。従って、菓子等の物品を収納する際には、この包装用箱１０の前後部と上部のいずれかの開放部から、菓子などの物品を包装用箱１０の底板２１に載置して容易に収納することができる。ただし、底板２１に対して三側面または四側面が起立した状態において、物品を収納することも可能である。
【００５６】
そして、後フラップ折目線４６を谷折して、左右の第１後フラップ２８と第２後フラップ２９を後側で交差させ、それぞれの端部に形成された後連結用切目２８ａ・２９ａを互いに差し込むことで左右の第１後フラップ２８と第２後フラップ２９は連結される。よって、第１後フラップ２８と第２後フラップ２９は、包装用箱１０の内側の後側面を形成するとともに、それぞれの下辺が底板２１と接触することで、左右側板２５の後側は底板２１に対して安定した形で起立される。
【００５７】
さらに、前フラップ折目線４５を谷折して、左右の第１前フラップ２６と第２前フラップ２７を後側で交差させ、それぞれの端部に形成された前連結用切目２６ａ・２７ａを互いに差し込むことで左右の第１前フラップ２６と第２前フラップ２７が連結される。よって、第１前フラップ２６と第２前フラップ２７は、包装用箱１０の内側の前側面を形成するとともに、それぞれの下辺が底板２１と接触することで、左右側板２５の前側は底板２１に対して安定した形で起立される。そして、図４に示すように、底板２１に対して四側面が起立した状態となる。
【００５８】
ここで、保冷体収納部７０に保冷体８１を収納する。保冷体８１は、シート状部材７１と保冷体挿入口７２との隙間を広げながらから挿入され、シート状部材７１と第１蓋板３１によって挟持される。
【００５９】
そして、後側板折目線４２を谷折して後側板２３を底板２１に対して立設させる。同じく、前側板折目線４１を谷折して前側板２２を底板２１に対して立設させる。したがって、図５に示すように、底板２１に対して四側面（前側板２２、後側板２３、前後フラップ２６・２７・２８・２９、及び左右側板２５・２５）が起立した状態において、包装用箱１０の上部が開放された箱本体１２が組み立てられる。
【００６０】
次に、蓋部１３を組み立てる場合について説明する。
【００６１】
図５と図６に示すように、まず、前フラップ折目線４５の傾斜に沿うように、前側板２２を傾斜させながら、第１蓋板折目線５１を谷折することで、第１蓋板３１が後方に折り返され、箱本体１２の上部の開放部が第１蓋板３１によって閉鎖される。続いて、差込片折目線５３を谷折して第２蓋板３２に対して略直角となるように、差込片６２ｂが折り曲げられる。そして、後フラップ折目線４６の傾斜に沿うように、後側板２３を傾斜させながら、第２蓋板折目線５２を谷折することで、第２蓋板３２が前方に折り返される。さらに、差込口６２ａに差込片６２ｂを挿入しながら、第２蓋板３２を第１蓋板３１の上面に重なり合わせる。したがって、図６に示すように、係止部６２である差込口６２ａと差込片６２ｂが係合することで、第２蓋板３２の左右中央部における第１蓋板３１と第２蓋板３２とが重なる状態が保持される。ただし、第１蓋板３１と第２蓋板３２の左右両端部において、係止部６２のみでは、第１蓋板３１の左右両端部（特に、前側）が第２蓋板３２に対して離間してしまう。
【００６２】
ここで、抱持部である折畳フラップ６１は、箱本体１２の外方に突設されており、図７の（Ａ）に示すように折畳フラップ折目線５４を谷折することで、図７の（Ｂ）に示す左右側板２５の上辺と第１蓋板３１との間隙に挿入される。従って、図７および図８に示すように、折畳フラップ６１が第２蓋板３２とともに第１蓋板３１の縁部を抱き込むように保持しながら、折畳フラップ６１の接触部６１ａが左右側板２５の上辺と第１蓋板３１に挟持される。このため、第２蓋板３２の左右の開放端部が反り返ることなく第１蓋板３１に接触した状態で箱本体１２の開口部を閉塞し、包装用箱１０の形状が保持される。また、包装用箱１０が組み立てられたときに、折畳フラップ６１の接触部６１ａが、第２蓋板３２の差込片６２ｂ側の辺の左右両端部、つまり、第２蓋板３２が第１蓋板に対して反り返り易い箇所の近傍に形成されているので、第１蓋板３１と第２蓋板３２が強固にその重なった状態を保持することができる。
【００６３】
一方、包装用箱１０を開放する場合には、左右側板２５よりも外方の非接触部６１ｂを手がかりとして箱本体１２の斜め下方向に引っ張ることで、折畳フラップ６１が左右側板２５の上辺と第１蓋板３１に挟持されている状態を容易に解除することができる。そして、係止部６２である差込片６２ｂを差込口６２ａから分離することで、箱本体１２に対して第１蓋板３１および第２蓋板３２を開放する。尚、包装用箱１０を廃棄する場合には、組み立て手順と逆の手順で容易に包装用箱１０を半完成状態に折畳むことができ、包装用箱１０の嵩を小さくして廃棄することができる。
【００６４】
以上の如く、第１実施形態の包装用箱１０は、
開口部を有する箱本体１２と、
前記箱本体１２に連設され前記開口部を覆う第１蓋板３１と、前記箱本体１２に連設され前記第１蓋板３１の上方に少なくとも一部が重なる第２蓋板３２と、を備え、
前記第２蓋板３２には、前記第１蓋板３１の縁部を抱持する抱持部（折畳フラップ６１）が連設される構成である。
【００６５】
このように構成することにより、抱持部（折畳フラップ６１）が第１蓋板３１の縁部を抱持するため、第１蓋板３１に対する第２蓋板３２の浮き上がりを防止することができ、包装用箱１０の外観体裁を良好とすることができる。
【００６６】
第１実施形態の包装用箱１０において、
前記第１蓋板３１と前記第２蓋板３２は、前記開口部の縁部の対向する位置に設けられ、前記抱持部（折畳フラップ６１）は、前記第２蓋板３２の側方の辺に形成され、少なくとも前記第２蓋板３２が前記箱本体１２に連設されている連設側の辺に対向する開放側の辺の端部に接する位置において、前記第１蓋板３１の縁部を抱持する構成である。
【００６７】
このように構成することにより、少なくとも前記第２蓋板３２が前記箱本体１２に連設されている連設側の辺に対向する開放側の辺の端部に接する位置において、前記第１蓋板３１の縁部を抱持するため、第２蓋板３２の開放側の辺の端部の周辺における浮き上がりを防止することができる。
【００６８】
第１実施形態の包装用箱１０において、
前記第１蓋板３１と前記第２蓋板３２は、前記開口部の縁部の対向する位置に設けられ、前記抱持部（折畳フラップ６１）は、前記第２蓋板３２の側方の辺において、前記連設側の辺の端部から、前記開放側の辺の端部まで形成される構成である。
【００６９】
このように構成することにより、前記抱持部（折畳フラップ６１）が、前記第２蓋板３２の側方の辺における前記連設側の辺の端部から前記開放側の辺の端部までの範囲で第２蓋板３２の浮き上がりを防止することができる。
【００７０】
第１実施形態の包装用箱１０において、
前記第１蓋板３１と前記第２蓋板３２は、前記開口部の縁部の対向する位置に設けられ、前記抱持部（折畳フラップ６１）は、前記第２蓋板３２の両側方の辺に設けられる構成である。
【００７１】
このように構成することにより、第１蓋板３１に対する第２蓋板３２の両側の縁部における浮き上がりを防止することができる。
【００７２】
第１実施形態の包装用箱１０において、
前記抱持部（折畳フラップ６１）は、前記箱本体１２を構成する第１側板（左右側板２５）と、前記第１蓋板３１とによって挟持される構成である。
【００７３】
このように構成することにより、抱持部（折畳フラップ６１）が、第１側板（左右側板２５）と第１蓋板３１とによって挟持されるため、抱持部（折畳フラップ６１）の周辺における第１蓋板３１に対する第２蓋板３２の浮き上がりを確実に防止することができる。
【００７４】
第１実施形態の包装用箱１０において、
前記箱本体は、少なくとも底板２１と、前記底板２１の対向する辺において前記底板２１に対して立設される第１側板（左右側板２５）と、前記第１側板（左右側板２５）が連設される辺に隣接する辺において前記底板２１に対して立設される第２側板（前側板２２）とを備え、
前記第１蓋板３１又は前記第２蓋板３２のいずれか一方が前記第２側板（前側板２２）に連設され、
前記抱持部（折畳フラップ６１）は、前記第１側板（左右側板２５）と、前記第１蓋板３１とによって挟持される構成である。
【００７５】
第１実施形態の包装用箱１０において、
前記箱本体１２は、前記第２側板（前側板２２）が連設される辺に対向する辺において前記底板２１に対して立設される第３側板（後側板２３）を備え、
前記第１蓋板３１又は前記第２蓋板３２のいずれか一方が前記第２側板（前側板２２）に連設され、
前記第１蓋板３１又は前記第２蓋板３２のいずれか他方が前記第３側板（後側板２３）に連設され、
前記抱持部（折畳フラップ６１）は、前記第２蓋板３２の側方の辺に折目線（折畳フラップ折目線５４）を介して連設され、前記折目線（折畳フラップ折目線５４）を折畳み前記第１蓋板３１と前記第１側板（左右側板２５）によって挟持される構成である。
【００７６】
第１実施形態の包装用箱１０において、
前記第１蓋板３１又は前記第２蓋板３２のいずれか一方が前記第２側板（前側板２２）に連設され、
前記第２側板（前側板２２）が連設される辺に対向する前記底板２１の辺に連設され、
前記抱持部（折畳フラップ６１）は、前記第２蓋板３２の側方の辺に折目線（折畳フラップ折目線５４）を介して連設され、前記折目線（折畳フラップ折目線５４）を折畳み前記第１蓋板３１と前記第１側板（左右側板２５）によって挟持される構成である。
【００７７】
このように構成することにより、抱持部（折畳フラップ６１）が第１側板（左右側板２５）と第１蓋板３１とによって挟持されるため、抱持部（折畳フラップ６１）の露出を少なくすることができ包装用箱１０の外観体裁を良好とすることができる。
【００７８】
第１実施形態の包装用箱１０において、
前記底板２１と前記第１側板（左右側板２５）との間に介設される折畳板２４を備え、
当該折畳板２４を前記底板２１上に折畳み、
前記第１側板（左右側板２５）を前記底板２１に対して立設することで、
前記第１蓋板３１と前記第２蓋板３２の側方の縁部が前記第１側板（左右側板２５）よりも前記箱本体１２の外方へ突出する構成である。
【００７９】
第１実施形態の包装用箱１０において、
前記第１側板（左右側板２５）は、前記底板２１に対して前記箱本体１２の中央側に傾斜するように立設されることで、
前記第１蓋板３１と前記第２蓋板３２の側方の縁部が前記第１側板（左右側板２５）よりも前記箱本体１２の外方へ突出する構成である。
【００８０】
このように構成することにより、抱持部（折畳フラップ６１）が第１蓋板３１の側方の縁部と第１側板（左右側板２５）に挟持され易くなり、抱持部（折畳フラップ６１）の周辺における第１蓋板３１に対する第２蓋板３２の浮き上がりを確実に防止することができる。
【００８１】
第１実施形態の包装用箱１０において、
前記抱持部（折畳フラップ６１）は、前記第１蓋板（左右側板２５）と前記第１側板（左右側板２５）の前記開口部側の端部の一部とによって挟持される接触部６１ａを有する構成である。
【００８２】
このように構成することにより、抱持部（折畳フラップ６１）が第１蓋板３１と第１側板（左右側板２５）に挟持されていない箱本体１２の外方の部分を手掛かりとすることで、抱持部（折畳フラップ６１）の挟持状態を容易に解除することができる。
【００８３】
第１実施形態の包装用箱１０において、
前記抱持部（折畳フラップ６１）は、前記接触部６１ａが前記第２蓋板３２の前記開放側に形成される構成である。
【００８４】
このように構成することにより、接触部６１ａが第２蓋板３２の前記開放側に形成されることで、第２蓋板３２の浮き上がりがおこり易い側に接触部６１ａが形成されることとなり、第２蓋板３２の変形を確実に防止することができる。
【００８５】
第１実施形態の包装用箱１０において、
前記第２蓋板３２の前記開放側に連設される差込片６２ｂと、前記差込片６２ｂに対応し前記第１蓋板３１上または前記第１蓋板３１の周辺に形成される差込口６２ａとを有し、
前記差込片６２ｂが前記差込口６２ａと係合可能とする係止部６２を備える構成である。
【００８６】
このように構成することにより、抱持部（折畳フラップ６１）によって第２蓋板３２の浮き上がりを防止しずらい箇所も、係止部６２によって第２蓋板３２の浮き上がりを防止することができる。
【００８７】
次に、本考案の第２実施形態にかかる包装用箱２１０について、図９から図１２を用いて説明する。
【００８８】
尚、第２実施形態に係る包装用箱２１０は、第１実施形態の折畳板２４を設けずに、前側板２２２および後側板２２３の左右方向の長さにおいて、下辺（底辺）よりも上辺が長くなるように形成することによって、第１蓋板２３１と第２蓋板２３２の左右辺が左右側板２５の上辺よりも箱本体２１２の外方へ突出するように構成したものである。そのため、第１実施形態と共通する部分に関しては、以下、同じ符号を付し説明は省略する。
【００８９】
図９に示す箱展開形成体２１１に従って、包装用箱２１０の箱本体２１２を構成する部分を説明する。図９は、包装用箱２１０の内側となる面を紙面手前側として示している。
【００９０】
底板２１は、包装用箱２１０の底板を構成する部分である。底板２１の前縁部（図示下縁部）には、箱本体２１２の外側の前側面を構成する第２側板である前側板２２２が、前側板折目線４１を介して連設される。底板２１の後縁部（図中上縁部）には、箱本体２１２の後側面を構成する第３側板である後側板２２３が、後側板折目線４２を介して連設される。前側板２２２と後側板２２３は、組み立てられた箱本体２１２において、それらの下辺（底辺）となる辺がそれらの上辺となる辺よりも短く形成される。つまり、前側板２２２と後側板２２３は、底辺が上辺よりも短い台形状に形成される。底板２１の左右縁部には、箱本体２１２の左右側面を構成する第１側板である一対の左右側板２５が、左右側板折目線２４４を介して連設される。
【００９１】
左右側板２５の前部となる縁部（図示下縁部）には、左右側板２５の前側を連結するための第１前フラップ２２６と第２前フラップ２２７が前フラップ折目線４５を介してそれぞれ連設される。第１前フラップ２２６と第２前フラップ２２７の自由端部付近には、前連結用切目２２６ａ・２２７ａが開放端を図示左向きとして形成されている。第１前フラップ２２６と第２前フラップ２２７は、それらが係合されることで前側面の内側となる部分である。
【００９２】
左右側板２５の後部となる縁部（図示上縁部）には、左右側板２５の後側を連結するための第１後フラップ２２８と第２後フラップ２２９が後フラップ折目線４６を介してそれぞれ連設される。第１後フラップ２２８と第２後フラップ２２９の自由端部付近には、後連結用切目２２８ａ・２２９ａが開放端を図示右向きとして形成されている。第１後フラップ２２８と第２後フラップ２２９は、それらが係合されることで後側面の内側となる部分である。
【００９３】
次に、包装用箱２１０の蓋部２１３を構成する部分を説明する。
【００９４】
前記前側板２２２の図示下辺には、蓋部２１３の一部を構成する第１蓋板２３１が、第１蓋板折目線２５１を介して連設される。第１蓋板２３１の左右幅は、前記前側板２２２の上辺となる辺の長さと略同じ長さに構成される。第１蓋板２３１の後部となる縁部（図示下縁部）の左右中央を略半円状に切り欠くことによって、手掛部２３１ａが形成される。手掛部２３１ａは、第１蓋板２３１を箱本体２１２に対して離間する（開ける）ときに、手を掛け易くするための部分である。第１蓋板折目線２５１の左右中央には、係止部６２の一部を構成する差込口６２ａが後述する差込片６２ｂに対応するように形成される。さらに差込口６２ａ左右中央部から図示上方に突出するように半円状の切欠部６２ｃが形成されている。
【００９５】
前記後側板２２３の図示上辺には、蓋部２１３の一部を構成する第２蓋板２３２が、第２蓋板折目線２５２を介して連設される。第２蓋板２３２の左右幅は、前記後側板２２３の上辺となる辺の長さと略同じ長さに構成される。第２蓋板２３２の図示上辺には、差込片折目線５３を介して、係止部６２の一部を構成する差込片６２ｂが連設される。
【００９６】
第２蓋板２３２の対向する左右縁部には、抱持部を構成する折畳フラップ６１が、折畳フラップ折目線５４を介して連設される。折畳フラップ６１は、図示上部が左右外方に突出するように接触部６１ａが形成され、図示下部が接触部６１ａよりも左右幅の短い非接触部６１ｂが形成される。つまり、包装用箱２１０が組み立てられた状態において、接触部６１ａでは、折畳フラップ折目線５４から接触部６１ａの開放端までの左右方向の長さが、折畳フラップ折目線５４から左右側板２５の上辺までの左右方向の長さよりも若干長く形成される。非接触部６１ｂでは、折畳フラップ折目線５４から非接触部６１ｂの開放端までの左右方向の長さが、折畳フラップ折目線５４から左右側板２５の上辺までの左右方向の長さよりも若干短く形成される。
【００９７】
次に、箱展開形成体２１１の状態の包装用箱２１０を完成体まで組み立てる手順について説明する。
【００９８】
先ず、左右側板折目線２４４を谷折して左右側板２５を底板２１に対して略直角に立設させ図１０に示す状態とする。さらに、後フラップ折目線４６を谷折して、左右の第１後フラップ２２８と第２後フラップ２２９を後側で交差させ、それぞれの端部に形成された後連結用切目２２８ａ・２２９ａを互いに差し込むことで左右の第１後フラップ２２８と第２後フラップ２２９は連結される。よって、第１後フラップ２２８と第２後フラップ２２９は、包装用箱２１０の内側の後側面を形成するとともに、それぞれの下辺が底板２１と接触することで、左右側板２５の後側は底板２１に対して安定した形で起立される。
【００９９】
さらに、前フラップ折目線４５を谷折して、左右の第１前フラップ２２６と第２前フラップ２２７を後側で交差させ、それぞれの端部に形成された前連結用切目２２６ａ・２２７ａを互いに差し込むことで左右の第１前フラップ２２６と第２前フラップ２２７が連結される。よって、第１前フラップ２２６と第２前フラップ２２７は、包装用箱２１０の内側の前側面を形成するとともに、それぞれの下辺が底板２１と接触することで、左右側板２５の前側は底板２１に対して安定した形で起立される。そして、底板２１に対して四側面が起立した状態となる。
【０１００】
そして、後側板折目線４２を谷折して後側板２２３を底板２１に対して立設させる。同じく、前側板折目線４１を谷折して前側板２２２を底板２１に対して立設させる。したがって、底板２１に対して四側面（前側板２２２、後側板２２３、前後フラップ２２６・２２７・２２８・２２９、及び左右側板２５・２５）が起立した状態において、包装用箱２１０の上部が開放された箱本体２１２が組み立てられる。
【０１０１】
次に、蓋部２１３を組み立てる場合について説明する。
【０１０２】
第１実施形態と同様に、まず、前フラップ折目線４５の傾斜に沿うように、前側板２２２を傾斜させながら、第１蓋板折目線２５１を谷折することで、第１蓋板２３１が後方に折り返され、箱本体２１２の上部の開放部が第１蓋板２３１によって閉鎖される。続いて、差込片折目線５３を谷折して第２蓋板２３２に対して略直角となるように、差込片６２ｂが折り曲げられる。そして、後フラップ折目線４６の傾斜に沿うように、後側板２２３を傾斜させながら、第２蓋板折目線２５２を谷折することで、第２蓋板２３２が前方に折り返される。さらに、図１１に示すように、差込口６２ａに差込片６２ｂを挿入しながら、第２蓋板２３２を第１蓋板２３１の上面に重なり合わせる。したがって、係止部６２である差込口６２ａと差込片６２ｂが係合することで、第２蓋板２３２の左右中央部における第１蓋板２３１と第２蓋板２３２とが重なる状態が保持される。
【０１０３】
抱持部である折畳フラップ６１は、箱本体２１２の外方に突出されており、図１１に示す折畳フラップ折目線５４を谷折することで、図１２に示す左右側板２５の上辺と第１蓋板２３１との間隙に挿入される。従って、折畳フラップ６１が第２蓋板２３２とともに第１蓋板２３１の縁部を抱き込むように保持しながら、折畳フラップ６１の接触部６１ａが左右側板２５の上辺と第１蓋板２３１に挟持される。このため、第２蓋板２３２の左右の折畳フラップ折目線５４の周辺が反り返ることなく第１蓋板２３１に接触した状態で箱本体２１２の開口部を閉塞し続けて、包装用箱２１０の形状が保持される。さらに、接触部６１ａが係止部６２側（前側板２２２側）で左右側板２５の上辺と第１蓋板２３１に挟持されるので、係止部６２によって第１蓋板２３１と第２蓋板２３２間の閉鎖状態を保持しきれなかった箇所をより強固に保持することが可能となる。
【０１０４】
以上の如く、第２実施形態の包装用箱２１０は、
前記第２側板（前側板２２２）において、前記底板２１に連設される辺が、前記第１蓋板２３１または前記第２蓋板２３２のいずれか一方が連設される辺よりも短く形成されることで、
前記第２側板（前側板２２２）に連設される前記第１蓋板２３１または前記第２蓋板２３２のいずれか一方の側方の縁部が前記第１側板（左右側板２５）よりも前記箱本体２１２の外方へ突出する構成である。
【０１０５】
第２実施形態の包装用箱２１０において、
前記第２側板（前側板２２２）と前記第３側板（後側板２２３）において、前記底板２１に連設される辺が、前記第１蓋板２３１および前記第２蓋板２３２が連設される辺よりも短く形成されることで、
前記第１蓋板２３１と前記第２蓋板２３２の側方の縁部が前記第１側板（左右側板２５）よりも前記箱本体２１２の外方へ突出する構成である。
【０１０６】
このように構成することにより、抱持部（折畳フラップ６１）が第１蓋板２３１と第１側板（左右側板２５）によって挟持され易くなり、抱持部（折畳フラップ６１）の周辺における第１蓋板２３１に対する第２蓋板２３２の浮き上がりを確実に防止することができる。
【０１０７】
次に、本考案の第３実施形態にかかる包装用箱３１０について、図１３から図１７を用いて説明する。
【０１０８】
図１３に示す箱展開形成体３１１に従って、包装用箱３１０の箱本体３１２を構成する部分を説明する。図１３は、包装用箱３１０の内側となる面を紙面手前側として示している。
【０１０９】
底板２１の左右縁部には、箱本体３１２の左右側面を構成する第１側板である一対の左右側板３２５が、左右側板折目線３４４を介して連設される。左右側板３２５は、長方形に形成される。
【０１１０】
左右側板３２５の前部となる縁部（図示下縁部）には、左右側板３２５の前側を連結するための第１前フラップ３２６と第２前フラップ３２７が前フラップ折目線３４５を介してそれぞれ連設される。第１前フラップ３２６と第２前フラップ３２７の自由端部付近には、前連結用切目３２６ａ・３２７ａが開放端を図示左向きとして形成されている。
【０１１１】
左右側板３２５の後部となる縁部（図示上縁部）には、左右側板３２５の後側を連結するための第１後フラップ３２８と第２後フラップ３２９が後フラップ折目線３４６を介してそれぞれ連設される。第１後フラップ３２８と第２後フラップ３２９の自由端部付近には、後連結用切目３２８ａ・３２９ａが開放端を図示右向きとして形成されている。
【０１１２】
ここで、図１４の（Ａ）に示すように、第２実施形態の第１後フラップ２２８において、後連結用切目２２８ａから後フラップ折目線４６までの上辺側の長さＷ１が下辺側の長さＷ２と略同じとなるように形成される。同様に、第１前フラップ２２６、第２前フラップ２２７、および第２後フラップ２２９も同じ長さとなるように形成される。したがって、箱本体１２が組み立てられてときに、左右側板２５は底板２１に対して略直角に起立される。
【０１１３】
一方、図１４の（Ｂ）に示すように、第３実施形態の第１後フラップ３２８において、後連結用切目３２８ａから後フラップ折目線３４６までの上辺側の長さＷ３が下辺側の長さＷ４よりも短くなるように形成される。同様に、第１前フラップ３２６、第２前フラップ３２７、および第２後フラップ３２９も上辺側の長さが下辺側の長さよりも短くなるように形成される。したがって、箱本体３１２が組み立てられてときに、左右側板３２５は図１５に示すように底板２１に対して箱本体３１２の中央側に傾斜するように立設される。
【０１１４】
次に、包装用箱３１０の蓋部３１３を構成する部分を説明する。
【０１１５】
図１３に示すように、前記前側板２２の図示下辺には、蓋部３１３の一部を構成する第１蓋板３３１が、第１蓋板折目線５１を介して連設される。第１蓋板３３１の後部となる縁部（図示下縁部）の左右中央を略半円状に切り欠くことによって、手掛部３３１ａが形成される。第１蓋板３３１の前後幅は、底板２１の前後幅よりも若干短くなるように形成される。
【０１１６】
前記後側板２３の図示上辺には、蓋部３１３の一部を構成する第２蓋板３３２が、第２蓋板折目線５２を介して連設される。第２蓋板３３２の前後幅は、底板２１の前後幅よりも若干長いまたは略同じ長さとなるように形成される。
【０１１７】
第２蓋板３３２の対向する左右縁部には、抱持部を構成する折畳フラップ３６１が、折畳フラップ折目線５４を介して連設される。折畳フラップ３６１は、図示上部が左右外方に突出するように二つの接触部３６１ａが前後方向に所定間隔をあけて形成される。つまり、折畳フラップ３６１は、凸部である接触部３６１ａと凹部である非接触部３６１ｂが前後方向に交互に形成される。包装用箱３１０を組み立てたとき、接触部３６１ａにおける折畳フラップ折目線５４から接触部３６１ａの開放端までの左右方向の長さは、折畳フラップ折目線５４から左右側板３２５の上辺までの左右方向の長さよりも若干長く形成される。非接触部３６１ｂにおける折畳フラップ折目線５４から非接触部３６１ｂの開放端までの左右方向の長さは、箱本体３１２を組み立てたときの折畳フラップ折目線５４から左右側板３２５の上辺までの左右方向の長さよりも若干短く形成される。
【０１１８】
次に、図１３に示す箱展開形成体３１１の状態から包装用箱３１０を完成体まで組み立てる手順について説明する。
【０１１９】
先ず、左右側板折目線３４４を山折して左右側板３２５を底板２１に対して立設させる。そして、後フラップ折目線３４６を谷折して、左右の第１後フラップ３２８と第２後フラップ３２９を後側で交差させ、それぞれの端部に形成された後連結用切目３２８ａ・３２９ａを互いに差し込むことで左右の第１後フラップ３２８と第２後フラップ３２９は連結される。よって、第１後フラップ３２８と第２後フラップ３２９は、包装用箱３１０の内側の後側面を形成するとともに、それぞれの下辺が底板２１と接触することで、左右側板３２５の後側は底板２１に対して安定した形で起立される。
【０１２０】
さらに、前フラップ折目線３４５を谷折して、左右の第１前フラップ３２６と第２前フラップ３２７を後側で交差させ、それぞれの端部に形成された前連結用切目３２６ａ・３２７ａを互いに差し込むことで左右の第１前フラップ３２６と第２前フラップ３２７が連結される。よって、第１前フラップ３２６と第２前フラップ３２７は、包装用箱３１０の内側の前側面を形成するとともに、それぞれの下辺が底板２１と接触することで、左右側板３２５の前側は底板２１に対して安定した形で起立される。そして、図１５に示すように、左右側板３２５は底板２１に対して箱本体３１２の中央側に傾斜するように立設される。前フラップ３２６・３２７および後フラップ３２８・３２９は、底板２１に対して略垂直となるように起立される。
【０１２１】
そして、後側板折目線４２を谷折して後側板２３を底板２１に対して立設させる。同じく、前側板折目線４１を谷折して前側板２２を底板２１に対して立設させる。したがって、底板２１に対して四側面（前側板２２、後側板２３、前後フラップ３２６・３２７・３２８・３２９、及び左右側板３２５・３２５）が起立した状態において、包装用箱３１０の上部が開放された箱本体３１２が組み立てられる。
【０１２２】
次に、蓋部３１３を組み立てる場合について説明する。
【０１２３】
まず、第１蓋板折目線５１を谷折することで、第１蓋板３３１が後方に折り返され、箱本体３１２の上部の開放部が第１蓋板３３１によって閉鎖される。続いて、差込片折目線５３を谷折して第２蓋板３３２に対して略直角となるように、差込片６２ｂが折り曲げられる。そして、第２蓋板折目線５２を谷折することで、第２蓋板３３２が前方に折り返される。さらに、差込口６２ａに差込片６２ｂを挿入しながら、第２蓋板３３２を第１蓋板３３１の上面に重なり合わせる。したがって、図１６に示すように、係止部６２である差込口６２ａと差込片６２ｂが係合することで、第２蓋板３３２の左右中央部における第１蓋板３３１と第２蓋板３３２とが重なる状態が保持される。
【０１２４】
抱持部である折畳フラップ３６１は、箱本体３１２の外方に突出されており、図１６に示す折畳フラップ折目線５４を谷折することで、図１７に示す左右側板３２５の上辺と第１蓋板３３１との間隙に挿入される。従って、折畳フラップ３６１が第２蓋板３３２とともに第１蓋板３３１の縁部を抱き込むように保持しながら、折畳フラップ３６１の接触部３６１ａが、左右側板３２５の上辺と第１蓋板３１に、箱本体３１２の前部および後部で挟持される。このため、折畳フラップ折目線５４の周辺の第２蓋板３２が反り返ることなく、第２蓋板３２が第１蓋板３１に対して前後方向に略均一に接触することができる。これによって、箱本体３１２の開口部を第１蓋板３３１および第２蓋板３３２が閉塞し、包装用箱３１０の形状が保持される。
【０１２５】
一方、包装用箱３１０を開放する場合には、折畳フラップ３６１の非接触部３６１ｂの開放端を手掛かりとして箱本体３１２の外方に引っ張ることで、折畳フラップ３６１と左右側板３２５の上辺と第１蓋板３３１との係止関係（挟持関係）を解消させる。そして、抱持部である差込片６２ｂを差込口６２ａから分離することで、箱本体３１２の上部から第１蓋板３３１および第２蓋板３３２を分離させる。そして、組み立て手順と逆の手順で容易に包装用箱３１０を半完成状態に折畳むことができ、包装用箱３１０の嵩を小さくして廃棄することができる。
【０１２６】
尚、第１実施形態の折畳板２４と、第２実施形態の前側板２２２および後側板２２３と、第３実施形態の第１前フラップ３２６、第２前フラップ３２７、第１後フラップ３２８、および第２後フラップ３２９を全て備えた包装用箱を構成してもよい。
【０１２７】
また、第１実施形態から第３実施形態において、第１側面である左右側板２５・３２５を四角形に形成している。しかし、第１側板（左右側板）が三角形に形成され、第２側板（前側板）または第３側板（後側板）のいずれか一方が設けられずに、底面、左右側板（第１側板）、および、第２側板（前側板）または第３側板（後側板）のいずれか他方によって、開口部を有した箱本体が形成されてもよい。つまり、底面に対して三側面が起立した状態の箱本体が形成され、底面に第１蓋板または第２蓋板のいずれか一方が連設され、箱本体の開口部を第１蓋板および第２蓋板が閉鎖するように構成してもよい。
【０１２８】
尚、第１実施形態から第３実施形態において、第２蓋板３２（２３２・３３２）の左右辺（折畳フラップ折目線５４）の前端から後端にかけて折畳フラップ６１（３６１）が連設されているが、左右辺の一部に連設されていてもよい。つまり、折畳フラップ６１（３６１）がその前後方向の長さを全体的に短くして第２蓋板３２の左右辺の前部に連設されていても、第２蓋板３２の左右辺の後部に連設されていてもよい。
【０１２９】
以上の如く、第３実施形態の包装用箱３１０は、
前記抱持部（折畳フラップ３６１）は、前記第１蓋板３３１と前記第１側板（左右側板３２５）の前記開口部側の端部とによって挟持される接触部３６１ａと挟持されない非接触部３６１ｂとが前記第２蓋板３３２の前記連設側の辺（第２蓋板折目線５２）の端部から、前記開放側の辺（差込片折目線５３）の端部の間で交互に形成される構成である。
【０１３０】
このように構成することにより、第１蓋板３３１と第１側板（左右側板３２５）の前記開口部側の端部とによって挟持される接触部３６１ａと挟持されない非接触部３６１ｂとが前記第２蓋板３３２の前記連設側の辺の端部から、前記開放側の辺の端部の間で交互に形成されることで、抱持部（折畳フラップ３６１）による前記第２蓋板３３２の前記連設側の辺の端部から前記開放側の辺の端部の間の第２蓋板３３２の浮き上がりを確実に防止することができる。また、非接触部３６１ｂを手掛かりとすることで、抱持部（折畳フラップ３６１）の挟持状態を容易に解除することができる。
【符号の説明】
【０１３１】
１０      包装用箱
１２      箱本体
２１      底板
２２      前側板（第２側板）
２３      後側板（第３側板）
２４      折畳板
２５      左右側板（第１側板）
３１      第１蓋板
３２      第２蓋板
４１      前側板折目線
４２      後側板折目線
５２      第２蓋板折目線
５４      折畳フラップ折目線
６１      折畳フラップ（抱持部）
６１ａ    接触部
６２      係止部
６２ａ    差込口
６２ｂ    差込片
２１０    包装用箱
２１２    箱本体
２２２    前側板（第２側板）
２２３    後側板（第３側板）
２３１    第１蓋板
２３２    第２蓋板
２５１    第１蓋板折目線
２５２    第２蓋板折目線
３１０    包装用箱
３２５    左右側板（第１側板）
３３１    第１蓋板
３３２    第２蓋板
３６１    折畳フラップ（抱持部）
３６１ａ  接触部
３６１ｂ  非接触部
【図１】
0003165821.tif 000003
【図２】
0003165821.tif 000004
【図３】
0003165821.tif 000005
【図４】
0003165821.tif 000006
【図５】
0003165821.tif 000007
【図６】
0003165821.tif 000008
【図７】
0003165821.tif 000009
【図８】
0003165821.tif 000010
【図９】
0003165821.tif 000011
【図１０】
0003165821.tif 000012
【図１１】
0003165821.tif 000013
【図１２】
0003165821.tif 000014
【図１３】
0003165821.tif 000015
【図１４】
0003165821.tif 000016
【図１５】
0003165821.tif 000017
【図１６】
0003165821.tif 000018
【図１７】
0003165821.tif 000019
【手続補正書】
【提出日】平成22年11月30日(2010.11.30)
【手続補正１】
【補正対象書類名】実用新案登録請求の範囲
【補正対象項目名】全文
【補正方法】変更
【補正の内容】
【実用新案登録請求の範囲】
【請求項１】
開口部を有する箱本体と、
前記箱本体に連設され前記開口部を覆う第１蓋板と、
前記箱本体に連設され前記第１蓋板の上方に少なくとも一部が重なる第２蓋板と、を備え、
前記第２蓋板には、前記第１蓋板の縁部を抱持する抱持部が連設されることを特徴とする包装用箱。
【請求項２】
前記第１蓋板と前記第２蓋板は、前記開口部の縁部の対向する位置に設けられ、前記抱持部は、前記第２蓋板の側方の辺に形成され、少なくとも前記第２蓋板が前記箱本体に連設されている連設側の辺に対向する開放側の辺の端部に接する位置において、前記第１蓋板の縁部を抱持することを特徴とする請求項１に記載の包装用箱。
【請求項３】
前記第１蓋板と前記第２蓋板は、前記開口部の縁部の対向する位置に設けられ、前記抱持部は、前記第２蓋板の側方の辺において、前記第２蓋板が前記箱本体に連設されている連設側の辺の端部から、前記連設側の辺に対向する開放側の辺の端部まで形成されることを特徴とする請求項１に記載の包装用箱。
【請求項４】
前記第１蓋板と前記第２蓋板は、前記開口部の縁部の対向する位置に設けられ、前記抱持部は、前記第２蓋板の両側方の辺に設けられることを特徴とする請求項１から３のいずれか１項に記載の包装用箱。
【請求項５】
前記抱持部は、前記箱本体を構成する第１側板と、前記第１蓋板とによって挟持されることを特徴とする請求項１から４のいずれか１項に記載の包装用箱。
【請求項６】
前記箱本体は、少なくとも底板と、前記底板の対向する辺において前記底板に対して立設される第１側板と、前記第１側板が連設される辺に隣接する辺において前記底板に対して立設される第２側板とを備え、
前記第１蓋板又は前記第２蓋板のいずれか一方が前記第２側板に連設され、
前記抱持部は、前記第１側板と、前記第１蓋板とによって挟持されることを特徴とする請求項１から４のいずれか１項に記載の包装用箱。
【請求項７】
前記箱本体は、前記第２側板が連設される辺に対向する辺において前記底板に対して立設される第３側板を備え、
前記第１蓋板又は前記第２蓋板のいずれか一方が前記第２側板に連設され、
前記第１蓋板又は前記第２蓋板のいずれか他方が前記第３側板に連設され、
前記抱持部は、前記第２蓋板の側方の辺に折目線を介して連設され、前記折目線を折畳み前記第１蓋板と前記第１側板によって挟持されることを特徴とする請求項６に記載の包装用箱。
【請求項８】
前記第１蓋板又は前記第２蓋板のいずれか一方が前記第２側板に連設され、
前記第２側板が連設される辺に対向する前記底板の辺に連設され、
前記抱持部は、前記第２蓋板の側方の辺に折目線を介して連設され、前記折目線を折畳み前記第１蓋板と前記第１側板によって挟持されることを特徴とする請求項６に記載の包装用箱。
【請求項９】
前記第２側板において、前記底板に連設される辺が、前記第１蓋板または前記第２蓋板のいずれか一方が連設される辺よりも短く形成されることで、
前記第２側板に連設される前記第１蓋板または前記第２蓋板のいずれか一方の側方の縁部が前記第１側板よりも前記箱本体の外方へ突出することを特徴とする請求項６から８のいずれか１項に記載の包装用箱。
【請求項１０】
前記第２側板と前記第３側板において、前記底板に連設される辺が、前記第１蓋板および前記第２蓋板が連設される辺よりも短く形成されることで、
前記第１蓋板と前記第２蓋板の側方の縁部が前記第１側板よりも前記箱本体の外方へ突出することを特徴とする請求項７に記載の包装用箱。
【請求項１１】
前記底板と前記第１側板との間に介設される折畳板を備え、
当該折畳板を前記底板上に折畳み、
前記第１側板を前記底板に対して立設することで、
前記第１蓋板と前記第２蓋板の側方の縁部が前記第１側板よりも前記箱本体の外方へ突出することを特徴とする請求項６から１０のいずれか１項に記載の包装用箱。
【請求項１２】
前記第１側板は、前記底板に対して前記箱本体の中央側に傾斜するように立設されることで、
前記第１蓋板と前記第２蓋板の側方の縁部が前記第１側板よりも前記箱本体の外方へ突出することを特徴とする請求項６から１１のいずれか１項に記載の包装用箱。
【請求項１３】
前記抱持部は、前記第１蓋板と前記第１側板の前記開口部側の端部の一部とによって挟持される接触部を有することを特徴とする請求項５から１２のいずれか１項に記載の包装用箱。
【請求項１４】
前記抱持部は、前記第１蓋板と前記第１側板の前記開口部側の端部とによって挟持される接触部と挟持されない非接触部とが、前記第２蓋板の側方の辺において、前記第２蓋板が前記箱本体に連設されている連設側の辺の端部から、前記連設側の辺に対向する開放側の辺の端部の間で交互に形成されることを特徴とする請求項５から１３のいずれか一項に記載の包装用箱。
【請求項１５】
前記接触部は、前記第２蓋板の側方の辺において、前記第２蓋板が前記箱本体に連設されている連設側の辺に対向する開放側に形成されることを特徴とする請求項１３または１４に記載の包装用箱。
【請求項１６】
前記第２蓋板は、前記第２蓋板が前記箱本体に連設されている連設側の辺に対向する開放側に連設される差込片と、前記差込片に対応し前記第１蓋板上または前記第１蓋板の周辺に形成される差込口とを有し、
前記差込片が前記差込口と係合可能とする係止部を備えることを特徴とする請求項１から１５のいずれか１項に記載の包装用箱。
【手続補正２】
【補正対象書類名】明細書
【補正対象項目名】００１０
【補正方法】変更
【補正の内容】
【００１０】
第３の考案では、第１の考案において、
前記第１蓋板と前記第２蓋板は、前記開口部の縁部の対向する位置に設けられ、前記抱持部は、前記第２蓋板の側方の辺において、前記第２蓋板が前記箱本体に連設されている連設側の辺の端部から、前記連設側の辺に対向する開放側の辺の端部まで形成される構成である。
【手続補正３】
【補正対象書類名】明細書
【補正対象項目名】００１８
【補正方法】変更
【補正の内容】
【００１８】
第１１の考案では、第６から第１０の考案において、
前記底板と前記第１側板との間に介設される折畳板を備え、
当該折畳板を前記底板上に折畳み、
前記第１側板を前記底板に対して立設することで、
前記第１蓋板と前記第２蓋板の側方の縁部が前記第１側板よりも前記箱本体の外方へ突出する構成である。
【手続補正４】
【補正対象書類名】明細書
【補正対象項目名】００１９
【補正方法】変更
【補正の内容】
【００１９】
第１２の考案では、第６から第１１の考案において、
前記第１側板は、前記底板に対して前記箱本体の中央側に傾斜するように立設されることで、
前記第１蓋板と前記第２蓋板の側方の縁部が前記第１側板よりも前記箱本体の外方へ突出する構成である。
【手続補正５】
【補正対象書類名】明細書
【補正対象項目名】００２１
【補正方法】変更
【補正の内容】
【００２１】
第１４の考案では、第５から第１３の考案において、
前記抱持部は、前記第１蓋板と前記第１側板の前記開口部側の端部とによって挟持される接触部と挟持されない非接触部とが、前記第２蓋板の側方の辺において、前記第２蓋板が前記箱本体に連設されている連設側の辺の端部から、前記連設側の辺に対向する開放側の辺の端部の間で交互に形成される構成である。
【手続補正６】
【補正対象書類名】明細書
【補正対象項目名】００２２
【補正方法】変更
【補正の内容】
【００２２】
第１５の考案では、第１３および第１４の考案において、
前記接触部は、前記第２蓋板の側方の辺において、前記第２蓋板が前記箱本体に連設されている連設側の辺に対向する開放側に形成される構成である。
【手続補正７】
【補正対象書類名】明細書
【補正対象項目名】００２３
【補正方法】変更
【補正の内容】
【００２３】
第１６の考案では、第１から第１５の考案において、
前記第２蓋板は、前記第２蓋板が前記箱本体に連設されている連設側の辺に対向する開放側に連設される差込片と、前記差込片に対応し前記第１蓋板上または前記第１蓋板の周辺に形成される差込口とを有し、
前記差込片が前記差込口と係合可能とする係止部を備える構成である。
【手続補正８】
【補正対象書類名】明細書
【補正対象項目名】００２７
【補正方法】変更
【補正の内容】
【００２７】
第３の考案においては、第１の考案の効果に加え、前記抱持部が、前記第２蓋板の側方の辺において、前記第２蓋板が前記箱本体に連設されている連設側の辺の端部から、前記連設側の辺に対向する開放側の辺の端部までの範囲で第２蓋板の浮き上がりを防止することができる。
【手続補正９】
【補正対象書類名】明細書
【補正対象項目名】００３３
【補正方法】変更
【補正の内容】
【００３３】
第１１の考案においては、第６から第１０の考案の効果に加え、折畳板が底板と第１側板との間に介設されることで、第１蓋板と第２蓋板の側方の縁部が第１側板よりも箱本体の外方へ突出することができ、抱持部が第１蓋板の側方の縁部と第１側板に挟持され易くなり、抱持部の周辺における第１蓋板に対する第２蓋板の浮き上がりを確実に防止することができる。
【手続補正１０】
【補正対象書類名】明細書
【補正対象項目名】００３４
【補正方法】変更
【補正の内容】
【００３４】
第１２の考案においては、第６から第１１の考案の効果に加え、第１側板は、底板に対して箱本体の中央側に傾斜するように立設されることで、第１蓋板と第２蓋板の側方の縁部が第１側板よりも箱本体の外方へ突出することができ、抱持部が第１蓋板の側方の縁部と第１側板に挟持され易くなり、抱持部の周辺における第１蓋板に対する第２蓋板の浮き上がりを確実に防止することができる。
【手続補正１１】
【補正対象書類名】明細書
【補正対象項目名】００３６
【補正方法】変更
【補正の内容】
【００３６】
第１４の考案においては、第５から第１３の考案の効果に加え、前記抱持部は、前記第１蓋板と前記第１側板の前記開口部側の端部とによって挟持される接触部と挟持されない非接触部とが、前記第２蓋板の側方の辺において、前記第２蓋板が前記箱本体に連設されている連設側の辺の端部から、前記連設側の辺に対向する開放側の辺の端部の間で交互に形成されることで、抱持部による前記第２蓋板の前記連設側の辺の端部から前記開放側の辺の端部の間の第２蓋板の浮き上がりを確実に防止することができる。また、非接触部を手掛かりとすることで、抱持部の挟持状態を容易に解除することができる。
【手続補正１２】
【補正対象書類名】明細書
【補正対象項目名】００３７
【補正方法】変更
【補正の内容】
【００３７】
第１５の考案においては、第１３および第１４の考案の効果に加え、前記接触部が、前記第２蓋板の側方の辺において、前記第２蓋板が前記箱本体に連設されている連設側の辺に対向する開放側に形成されることで、第２蓋板の浮き上がりがおこり易い側に接触部が形成されることとなり、第２蓋板の変形を確実に防止することができる。